(57)【要約】      （修正有）【課題】安定感があって植木鉢の転倒を良好に防止できるとともに、植木鉢の寸法の変化にも対応可能な植木鉢の転倒防止具を提供する。【解決手段】転倒防止具は、肉厚の底面の周縁に側面１６が設けられた鋳物製の受け皿１２と、側面１６の上方を貫通する一対の穴２４と、該穴２４に着脱可能に差し込まれる差込部３６Ａ及び３６Ｂ，脚部３２Ａ及び３２Ｂ，植木鉢４０側へ付勢され、その胴部４２を支持する略弧状のＲ部３４を有する針金製の支持部３０により構成される。植木鉢４０を転倒防止具の底面に載せると、受け皿１２が重しとなって安定感を発揮するとともに、板バネ状の支持部３０がＲ部３４で胴部４２を挟むように支え、転倒を防止する。また、支持部３０が、受け皿１２に対して着脱可能であるため、組み立てが容易になるとともに、植木鉢４０の形状・寸法に応じて交換できる。【選択図】図１
0003154213.tif 000002
【実用新案登録請求の範囲】
【請求項１】
植木鉢の底を受ける肉厚の底面部と、該底面部の縁部全周に設けられた側面部とを有する鋳物製の受け皿，
該受け皿の側面に所定の間隔で設けられており、前記側面の上方を貫通する一対の穴，
一対の脚部と、該一対の脚部の一方の端部同士を連結するとともに、前記植木鉢側へ付勢され、その胴部を支持する略弧状のＲ部と、前記脚部の他方の端部に対して屈折しており、前記一対の穴に着脱可能に差し込まれる一対の差込部とを有しており、全体が針金によって形成された支持部，
を有しており、
前記一対の穴と前記支持部を、２組以上設けたことを特徴とする植木鉢の転倒防止具。
【請求項２】
前記受け皿の側面に、前記一対の穴を形成する部分に対応して肉厚部を設けたことを特徴とする請求項１記載の植木鉢の転倒防止具。
【請求項３】
前記受け皿の底面部の裏面の縁部側に、設置面との間に所定の隙間を形成するための座部を設けたことを特徴とする請求項１又は２記載の植木鉢の転倒防止具。
【請求項４】
前記底面部の表面に、前記植木鉢の位置を決めるための凸部を設けたことを特徴とする請求項１〜３のいずれか一項に記載の植木鉢の転倒防止具。
【考案の詳細な説明】
【技術分野】
【０００１】
本考案は、植木鉢転倒防止具に関するものである。
【背景技術】
【０００２】
従来より、花や草木，野菜などを育て、花を咲かせたり実をつけさせたりして、人生の憩いの一時とすることがある。しかしながら、突風などにより軒先にある植木鉢が転倒すると、植木鉢が破損したり、せっかく育てた植物が植木鉢からこぼれたりして、台なしになってしまう。植木鉢を支える技術として、例えば、下記特許文献１には、植木針を載せる台部と、該台部と床面との間に空間を設けて支持する下部を広げた支持脚とを備えた植木鉢台において、鉢受け側部とその上部環で植木鉢が倒れるのを防ぐことが開示されている。また、下記特許文献２には、植木鉢を支える着脱する板バネと、それを保持する適宜な重量を有したリング形台座を有することを特徴とする植木鉢転倒防止具が開示されている。
【先行技術文献】
【特許文献】
【０００３】
【特許文献１】実開平６−４１５６６号公報（第２図）
【特許文献２】特開２００６−２０６１１号公報（第３図）
【考案の概要】
【考案が解決しようとする課題】
【０００４】
しかしながら、上述した背景技術には、次のような不都合がある。まず、特許文献１に記載の技術では、植木鉢を載せる台部の重量が不足であるほか、上部環によって植木鉢を支える構造であるため、植木鉢の高さや胴部の寸法変化に対応できないという不都合がある。また、特許文献２に記載の技術では、リング形の台座の内側に植木鉢をセットして使用するため、台座ごと植木鉢を移動させることができない。このほか、細板状の板バネの上部側が植木鉢に接触する構造のため、支持力が不十分な場合があるという不都合がある。
【０００５】
本考案は、以上のような点に着目したもので、安定感があって植木鉢の転倒を良好に防止できるとともに、植木鉢の寸法の変化にも対応可能な植木鉢の転倒防止具を提供することを、その目的とする。
【課題を解決するための手段】
【０００６】
本考案の植木鉢の転倒防止具は、植木鉢の底を受ける肉厚の底面部と、該底面部の縁部全周に設けられた側面部とを有する鋳物製の受け皿，該受け皿の側面に所定の間隔で設けられており、前記側面の上方を貫通する一対の穴，一対の脚部と、該一対の脚部の一方の端部同士を連結するとともに、前記植木鉢側へ付勢され、その胴部を支持する略弧状のＲ部と、前記脚部の他方の端部に対して屈折しており、前記一対の穴に着脱可能に差し込まれる一対の差込部とを有しており、全体が針金によって形成された支持部，を有しており、前記一対の穴と前記支持部を、２組以上設けたことを特徴とする。
【０００７】
主要な形態の一つは、前記受け皿の側面に、前記一対の穴を形成する部分に対応して肉厚部を設けたことを特徴とする。他の形態は、前記受け皿の底面部の裏面の縁部側に、設置面との間に所定の隙間を形成するための座部を設けたことを特徴とする。更に他の形態は、前記底面部の表面に、前記植木鉢の位置を決めるための凸部を設けたことを特徴とする。本考案の前記及び他の目的，特徴，利点は、以下の詳細な説明及び添付図面から明瞭になろう。
【考案の効果】
【０００８】
本考案によれば、肉厚の底面部の周縁に側面部が設けられた鋳物製の受け皿と、前記側面の上方を貫通する一対の穴と、一対の脚部の一端側に前記穴に着脱に差し込まれる一対の差込部を備え、他端側に植木鉢の胴部を支持する略弧状のＲ部を有する針金製の支持部とを備えるとともに、前記一対の穴と支持部を２組以上設けることとした。このため、鋳物製の受け皿が重しとなって安定感を発揮するとともに、板バネ状の支持部がＲ部で植木鉢の胴部を支えるため、転倒防止が可能となる。また、前記支持部が着脱可能であるため、組み立てが容易であるとともに、植木鉢の形状・寸法の変化に対応可能である。
【図面の簡単な説明】
【０００９】
【図１】本考案の実施例を示す外観斜視図であり、(A)は使用状態を示す図，(B)は支持部の着脱の様子を示す図である。
【図２】前記実施例１を示す図であり、(A)は本実施例の構成を示す外観斜視図，(B)は前記(A)を＃Ａ−＃Ａ線に沿って切断し矢印方向に見た断面図，(C)は受け皿の裏面を示す図，(D)変形例の受け皿の裏面を示す図である。
【図３】本考案の他の実施例を示す図である。
【考案を実施するための形態】
【００１０】
以下、本考案を実施するための最良の形態を、実施例に基づいて詳細に説明する。
【実施例１】
【００１１】
最初に、図１及び図２を参照しながら、本考案の実施例１を説明する。図１は、本実施例を示す外観斜視図であり、(A)は使用状態を示す図，(B)は支持部の着脱の様子を示す図である。図２(A)は、本実施例の構成を示す外観斜視図，図２(B)は前記(A)を＃Ａ−＃Ａ線に沿って切断し、矢印方向に見た断面図，図２(C)は受け皿の裏面を示す図，図２(D)は受け皿の変形例の裏面を示す図である。本実施例の植木鉢の転倒防止具１０は、植木鉢４０が突風等で倒れないように支持するものであって、受け皿１２と、一対の支持部３０により構成されている。
【００１２】
前記受け皿１２は、植木鉢４０の底を受ける肉厚の底面１４と、該底面１４の周縁全周に設けられた側面１６と、該側面１６の上端に設けられた縁部１８と、前記底面１４の裏側１４Ｂの縁部側に設けられた複数（図示の例では３カ所）の座部２６を有しており、全体が鋳物によって形成されている。前記側面１６には、適宜間隔で複数の内側座部２０と外側座部２２が設けられている（図示の例では、略等間隔で４カ所）。前記内側座部２０は、底面表側１４Ａから縁部１８にかけて形成されており、前記外側座部２２は、側面１６の外側上部のみに形成されている。これら内側座部２０，外側座部２２によって、前記側面１６の一部が肉厚に形成され、該肉厚部分に前記側面１６を径方向に貫通する穴２４が設けられる。すなわち、本実施例では、一対の穴２４が２組形成されている。該穴２４は、内側に向けて低くなるように、若干傾いた状態に形成されている。前記穴２４の直径は、例えば５ｍｍ程度である。また、前記座部２６は、底面裏側１４と設置面との間に所定の隙間を形成することで、受け皿１２から溢れた水が溜まるのを防止することができる。なお、図１(D)に示すように、底面裏側１４Ｂの周縁全周にリング状の座部２６Ａを設け、更に、該リング状座部２６Ａに、複数（図示の例で３つ）の座部２６Ｂを設けるようにしてもよい。このような受け皿１２は、錆びないように、焼付塗装が施される。
【００１３】
次に、前記支持部３０は、本実施例では対向するように２つ設けられている。前記支持部３０は、所定の間隔で対向する一対の脚部３２Ａ及び３２Ｂと、略弧状のＲ部３４と、一対の差込部３６Ａ及び３６Ｂにより構成される。前記Ｒ部３４は、前記一対の脚部３２Ａ及び３２Ｂの一方の端部同士を連結するとともに、前記植木鉢４０側へ付勢されて、その胴部４２を支持するものである。また、前記差込部３６Ａ及び３６Ｂは、前記一対の脚部３２Ａ及び３２Ｂの他方の端部に対して屈折しており、前記受け皿１２の穴２４に着脱可能に差し込まれる。このような支持部３０は、例えば、全体がステンレスなどの直径４ｍｍ程度の針金によって板バネ状に形成されている。
【００１４】
図２(B)に示すように、本実施例では、脚部３２Ａ，３２Ｂに対して、差込部３６Ａ，３６Ｂが略直角に屈折しているため、上述した傾斜を有する穴２４に前記差込部３６Ａ，３６Ｂを装着することにより、脚部３２Ａ，３２Ｂが内側へ向けて前傾する。この状態で、植木鉢４０を一対の支持部３０の間に押し込むと、前記Ｒ部３４が植木鉢４０の胴部４２によって押し広げられる。すなわち、植木鉢４０に向けて付勢した状態となるため、前記Ｒ部３４を常に前記胴部４２に接触させることができる。なお、前記Ｒ部３４は、前記胴部４２の曲率に応じたものが予め用意される。前記一対の穴２４と前記支持部３０は、対向するように２組配置される。
【００１５】
以上のような構成の転倒防止具１０を使用するときは、まず、図１(B)に示すように、受け皿１２の穴２４に、内側から支持部３０の差込部３６Ａ，３６Ｂを差し込む。そして、対向する支持部３０の間に、図１(A)に示すように植木鉢４０を底まで入れると、植木鉢４０の胴部４２によって、支持部３０が外側に押し広げられるが、該支持部３０は弾性力を有しているため、外側に倒れることはなく、内側に向けて付勢された状態となる。すると、一対の支持部３０のＲ部３４が植木鉢４０の胴部４２に接し、植木鉢４０を挟んで両側から押さえ合って支持し、転倒を防止する。植木鉢４０を移動させる場合は、転倒防止具１０から植木鉢４０を外して移動させてもよいし、落とさないように注意しながら、転倒防止具１０ごと移動させるようにしてもよい。なお、前記支持部３０は、植木鉢４０の寸法・形状に合わせたものを用意するが、弾性力を有するため、植木鉢４０の多少の寸法（高さなど）の変化には対応が可能である。
【００１６】
このように、本実施例によれば、次のような効果がある。
(1)肉厚の底面１４の周縁に側面１６を有する鋳物製の受け皿１２と、前記側面１６の上方を貫通する一対の穴２４と、一対の脚部３２Ａ及び３２Ｂ，前記植木鉢４０側へ付勢され、その胴部４２を支持する略弧状のＲ部３４，前記穴２４に着脱可能に差し込まれる一対の差込部３６Ａ及び３６Ｂを有する針金製の支持部３０とを備えるとともに、前記一対の穴２４と支持部３０を２組設けることとした。このため、鋳物製の肉厚の受け皿１２が重しとなって安定感を発揮するとともに、板バネ状の支持部３０がＲ部３４で植木鉢４０胴部４２を支えて転倒を防止できる。
(2)前記支持部３０が、受け皿１２に対して着脱可能であるため、組み立てが容易である。また、植木鉢の形状・寸法に応じて支持部３０の交換が可能となる。
【００１７】
(3)前記穴２４が、側面１６に肉厚に形成された内側座部２０，外側座部２２に形成されているため、強度が増す。
(4)前記受け皿１２が鋳物製であるため、耐久性が良好であるとともに、必要に応じてリサイクルが可能である。また、支持部３０にステンレスを利用することで、防錆効果が得られる。
(5)受け皿１２の底面裏側１４Ｂの縁部側に、座部２６を設けることとしたので、受け皿１２と設置面の間に隙間を形成し、受け皿１２から溢れた水がたまるのを防止できる。
(6)簡単な構成でデザインが美しいため、植木などを引き立たせることができる。
【００１８】
なお、本考案は、上述した実施例に限定されるものではなく、本考案の要旨を逸脱しない範囲内において種々変更を加え得ることができる。例えば、以下のものも含まれる。
(1)前記実施例で示した形状・寸法は一例であり、必要に応じて適宜変更してよい。例えば、前記実施例では、植木鉢４０の平面形状や受け皿１２の底面１４を略円形としたが、これも一例であり、楕円形や四角形など、他の公知の各種の形状としてよい。また、植木鉢４０の底径や胴部４２の大きさに応じて、鋳物製の受け皿１２を大きくすることにより、重量を上げて安定度を高めるとともに、支持部３０を形成する針金の太さを比例して大きくしてもよい。逆に、植木鉢４０が小さい場合には、受け皿１２を小さくするとともに、支持部３０を形成する針金を細くすればよい。
(2)前記実施例１に示した支持部３０の形状や寸法も一例であり、図３(A)に示す支持部３０Ａのように、脚部３２Ａ，３２Ｂの長さを短くすることで、背の低い植木鉢に対応させてもよい。逆に、脚部３２Ａ，３２Ｂの長さを長くすることで、図１(A)に示した植木鉢４０よりも背の高い植木鉢に対応が可能である。更に、このように、脚部３２Ａ，３２Ｂの長さを変えた支持部３０を、一つの大きさの受け皿１２に対して複数組用意することで、各種高さの植木鉢に対応させるようにしてもよい。あるいは、図３(B)に示す支持部３０Ｂのように、Ｒ部３４の長さを、一対の脚部３２Ａ，３２Ｂの間隔よりも長くし、該脚部３２Ａ，３２Ｂの端部と前記Ｒ部３４を、屈折部分を含む拡大部３３Ａ，３３Ｂにより連結してもよい。更に、図３(C)に示す支持部３０Ｃのように、Ｒ部３４の略中央部に、略コ字状の凹部３８を設けて、植木鉢の胴部４２との接触部分を増やしてもよい。あるいは、図３(F)に示す支持部３０Ｄのように、一対の脚部３２Ａ，３２Ｂを略平行ではなく、差込部３６Ａ，３６Ｂ側の端部間の間隔よりも、Ｒ部３４側の端部間の間隔が短くなるような形状としてもよい。これにより、同図に示す植木鉢４４の胴部４６の下方の小径部４８を、前記Ｒ部３４によって良好に支持することができる。むろん、図３(A)〜(C)及び(F)に示した例も一例であり、同様の効果を奏する範囲内であれば、支持部の形状・寸法は、必要に応じて適宜変更可能である。
【００１９】
(3)前記実施例では、支持部３０を構成する材料としてステンレス製の針金を例に挙げたが、これも一例であり、ステンレス以外の針金を利用してもよい。
(4)図３(D)に示す例のように、受け皿１２の底面表側１４Ａに、植木鉢４０の底部の位置決めを行うための略リング状の凸部５０を設けるようにしてもよい。
(5)前記実施例１では、穴２４が、受け皿１２の中心部へ向けて低くなるように若干傾斜させ、支持部３０の脚部３２Ａ，３２Ｂに対する差込部３６Ａ，３６Ｂの角度を略直角程度に設定することとしたが、前記穴２４を、略水平に形成し、前記脚部３２Ａ，３２Ｂに対する差込部３６Ａ，３６Ｂの角度を、直角よりも若干大きく（鈍角気味に）形成するようにしても同様の効果が得られる。
(6)更に、前記実施例では、支持部３０を２つ設けることとしたが、これも一例であり、図３(E)に示す例のように、３つの支持部３０を略等間隔で配置してもよいし、必要に応じて４つ以上設けるようにしてもよい。
(7)植木の種類によっては、受け皿１２を水溜用としてもよいし、逆に水はけ用の孔を受け皿１２に形成して、水を逃がすようにしてもよい。
【産業上の利用可能性】
【００２０】
本考案によれば、肉厚の底面部の周縁に側面部が設けられた鋳物製の受け皿と、前記側面の上方を貫通する一対の穴と、一対の脚部，前記植木鉢の胴部を支持する略弧状のＲ部，前記穴に着脱可能に差し込まれる一対の取付部とを有する針金製の支持部とを備えるとともに、前記一対の穴と支持部を２組以上設け、植木鉢の胴部を支えることとした。このため、植木鉢の転倒防止具の用途に適用できる。特に、不安定な形状の植木鉢（例えば、背が高く底面積が小さい鉢など）に好適である。
【符号の説明】
【００２１】
１０：転倒防止具
１２：受け皿
１４：底面
１４Ａ：表側
１４Ｂ：裏側
１６：側面
１８：縁部
２０：内側座部
２２：外側座部
２４：穴
２６，２６Ａ，２６Ｂ：座部
３０，３０Ａ〜３０Ｄ：支持部
３２Ａ，３２Ｂ：脚部
３３Ａ，３３Ｂ：拡大部
３４：Ｒ部
３６Ａ，３６Ｂ：差込部
３８：凹部
４０，４４：植木鉢
４２，４６：胴部
４８：小径部
５０：凸部
【図１】
0003154213.tif 000003
【図２】
0003154213.tif 000004
【図３】
0003154213.tif 000005